(57)【要約】      （修正有）【課題】血行の悪くなる肩や首筋などを集中的に温めることができるとともに、蒸れることが少ない枕を提供する。【解決手段】枕１の前側の縁に沿って、筒状の収納部１１が細長く延在しており、この収納部にラジウムボールまたは遠赤外線を発生するボールの少なくとも一方が、配列の順序が変動しないように収納されている。ラジウムからの放射線や遠赤外線により、血行の悪くなりやすい肩を温めて、血流を良くすることができる。【選択図】図１
0003149251.tif 000002
【実用新案登録請求の範囲】
【請求項１】
前側の縁に沿って、ラジウムを含有する物体または、遠赤外線を発生する物体の少なくとも一方が配列されていることを特徴とする枕。
【請求項２】
上面を覆う上面生地と下面を覆う下面生地との間に、多数の粒状物が詰められている枕において、
前記枕の前側の縁に沿って、ラジウムを含有する物体または、遠赤外線を発生する物体の少なくとも一方が配列されていることを特徴とする枕。
【請求項３】
前記枕は、平面図視で略長方形をしているとともに、その前縁の中央部が切り欠かれて切欠部が形成され、この切欠部の前縁部および、切欠部の両側の前縁部に沿って、ラジウムを含有する物体または、遠赤外線を発生する物体の少なくとも一方が配列されていることを特徴とする請求項１または２記載の枕。
【請求項４】
前記上面生地と下面生地との間の空間は、前後に区画されており、
前側の空間には、活性炭を含有している粒状物が詰められ、
後側の空間には、活性炭を含有していない粒状物が詰められていることを特徴とする請求項２または３記載の枕。
【請求項５】
前記上面生地と下面生地との間の空間は、中央部の空間、前側の空間および後側の空間に区画され、
前側の空間は中央部の空間の略前半分の前側および左右両サイド側に配置されており、
後側の空間は中央部の空間の略後半分の後側および左右両サイド側に配置されており、
前側の空間には、活性炭を含有している粒状物が詰められ、
後側の空間には、活性炭を含有していない粒状物が詰められ、
中央部の空間には、粒状物が詰められていないことを特徴とする請求項２または３記載の枕。
【請求項６】
前記枕の前側の縁に沿って配列されているラジウムを含有する物体および遠赤外線を発生する物体はボール状をしていることを特徴とする請求項１ないし５の何れか１項記載の枕。
【請求項７】
前記前側の空間の粒状物および後側の空間の粒状物には、貫通孔が形成され、
前記ラジウムを含有するラジウムボールおよび、遠赤外線を発生するボールには、貫通孔が形成されていないことを特徴とする請求項６記載の枕。
【請求項８】
前記ラジウムボールと、遠赤外線を発生するボールとが交互に配列されていることを特徴とする請求項６または７記載の枕。
【請求項９】
前記遠赤外線を発生するボールは、マイナスイオンを発生するマイナスイオンセラミックを含有しているマイナスイオンボールであることを特徴とする請求項６，７または８記載の枕。
【請求項１０】
枕の前側の縁に沿って、筒状の収納部が細長く延在しており、この収納部に前記ラジウムボールまたは遠赤外線を発生するボールの少なくとも一方が、配列の順序が変動しないように収納されていることを特徴とする請求項６ないし９の何れか１項記載の枕。
【考案の詳細な説明】
【技術分野】
【０００１】
本考案は、就寝時などに用いられる枕に関する。
【背景技術】
【０００２】
下記特許文献１などに記載のように、血液の循環を促進して、健康増進効果を得るために、炭素を含んだ繊維や粉を詰めた枕が提案されている。
【先行技術文献】
【特許文献】
【０００３】
【特許文献１】特開２００７−１１７７３１号公報
【考案の概要】
【考案が解決しようとする課題】
【０００４】
ところで、枕全体に、遠赤外線を発生する物体を詰めると、血行は良くなるが、頭などが熱で蒸れることがある。また、遠赤外線を発生する物体が枕全体に散らばるために、血行の悪くなる肩や首筋などを集中的に温めることができなくなる。
【０００５】
本考案は、以上のような課題を解決するためのもので、血行の悪くなる肩や首筋などを集中的に温めることができるとともに、蒸れることが少ない枕を提供することを目的とする。
【課題を解決するための手段】
【０００６】
前記目的を達成するために、本考案の枕（１）は、前側の縁に沿って、ラジウムを含有する物体（１４）または、遠赤外線を発生する物体（１３）の少なくとも一方が配列されている。
【０００７】
また、上面を覆う上面生地（３）と下面を覆う下面生地（４）との間に、多数の粒状物（１６，２１）が詰められている枕において、枕の前側の縁に沿って、ラジウムを含有する物体または、遠赤外線を発生する物体の少なくとも一方が配列されていることがある。
さらに、枕が、平面図視で略長方形をしているとともに、その前縁の中央部が切り欠かれて切欠部（２）が形成され、この切欠部の前縁部および、切欠部の両側の前縁部に沿って、ラジウムを含有する物体または、遠赤外線を発生する物体の少なくとも一方が配列されていることがある。
【０００８】
そして、上面生地と下面生地との間の空間は、前後に区画されており、前側の空間（６）には、活性炭を含有している粒状物が詰められ、後側の空間（７）には、活性炭を含有していない粒状物が詰められていることがある。
【０００９】
また、上面生地と下面生地との間の空間は、中央部の空間（８）、前側の空間および後側の空間に区画され、前側の空間は中央部の空間の略前半分の前側および左右両サイド側に配置されており、後側の空間は中央部の空間の略後半分の後側および左右両サイド側に配置されており、前側の空間には、活性炭を含有している粒状物が詰められ、後側の空間には、活性炭を含有していない粒状物が詰められ、中央部の空間には、粒状物が詰められていないことがある。
【００１０】
さらに、枕の前側の縁に沿って配列されているラジウムを含有する物体および遠赤外線を発生する物体が、ボール状をしていることがある。
【００１１】
そして、前側の空間の粒状物および後側の空間の粒状物には、貫通孔（１７，２２）が形成され、ラジウムを含有するラジウムボールおよび、遠赤外線を発生するボールには、貫通孔が形成されていないことがある。
【００１２】
また、ラジウムボールと、遠赤外線を発生するボールとが交互に配列されていることがある。
【００１３】
さらに、遠赤外線を発生するボールは、マイナスイオンを発生するマイナスイオンセラミックを含有しているマイナスイオンボールであることがある。
【００１４】
そして、枕の前側の縁に沿って、筒状の収納部（１１）が細長く延在しており、この収納部にラジウムボールまたは遠赤外線を発生するボールの少なくとも一方が、配列の順序が変動しないように収納されていることがある。
【考案の効果】
【００１５】
本考案の枕は、前側の縁に沿って、ラジウムを含有する物体または、遠赤外線を発生する物体の少なくとも一方が配列されているので、寝ている人の肩付近にラジウムを含有する物体や遠赤外線を発生する物体が位置し、ラジウムからの放射線や遠赤外線により、血行の悪くなりやすい肩を温めて、血流を良くすることができる。
【００１６】
前縁の中央部が切り欠かれて切欠部が形成され、この切欠部の前縁部に沿って、ラジウムを含有する物体または、遠赤外線を発生する物体の少なくとも一方が配列されているので、ラジウムを含有する物体や遠赤外線を発生する物体が寝ている人の首筋付近に位置し、ラジウムからの放射線や遠赤外線により、血行の悪くなりやすい首筋を温めて、血流を良くすることができる。
【００１７】
前側の空間には、活性炭を含有している粒状物が詰められ、後側の空間には、活性炭を含有していない粒状物が詰められているので、前側の空間の活性炭と、前縁部に配列されているラジウムを含有する物体や遠赤外線を発生する物体との相乗効果により、肩や首筋などを効率よく温めることができるとともに、寝ている人の頭の頂部付近を不必要に温めることを防止することができる。したがって、頭が熱で蒸れることを極力防止することができる。
【００１８】
前側の空間の粒状物および後側の空間の粒状物には貫通孔が形成され、ラジウムを含有するラジウムボールおよび遠赤外線を発生するボールには、貫通孔が形成されていないので、粒状物の貫通孔により空気の流れが促進され、頭が蒸れることを防止することができるとともに、ボールには貫通孔が形成されておらず、放射線や遠赤外線の発生効率を向上させることができる。
【００１９】
ラジウムボールと、遠赤外線を発生するボールとが交互に配列されているので、ラジウムの放射線や遠赤外線の両者が肩や首筋などに照射され、この両者の相乗効果により、効率よく肩や首筋などを温めることができる。
【００２０】
遠赤外線を発生するボールが、マイナスイオンを発生するマイナスイオンセラミックを含有しているマイナスイオンボールであるので、遠赤外線とともにマイナスイオンが照射され、リフレッシュ効果がある。
【００２１】
枕の前側の縁に沿って、筒状の収納部が細長く延在しており、この収納部にラジウムボールまたは遠赤外線を発生するボールの少なくとも一方が、配列の順序が変動しないように収納されているので、ラジウムボールや遠赤外線を発生するボールの位置がズレることを防止することができ、いつまでも効率よく首筋や肩を温めることができる。
【図面の簡単な説明】
【００２２】
【図１】図１は本考案における一実施例の枕の平面図である。
【図２】図２は枕の説明図で、（ａ）が図１のＡ−Ａ断面図、（ｂ）がストローチップの斜視図、（ｃ）がコルマビーズの斜視図、（ｄ）が枕の前側の縁に沿って配列されているラジウムボールおよびマイナスイオンボールの説明図である。
【考案を実施するための形態】
【００２３】
血行の悪くなる肩や首筋などを集中的に温めることができるとともに、蒸れることが少ない枕を提供するという目的を、枕の前側の縁に沿って、ラジウムを含有する物体または、遠赤外線を発生する物体の少なくとも一方を配列することで実現した。
【実施例１】
【００２４】
次に、本考案における枕の一実施例を図１および図２を用いて説明する。図１は本考案における一実施例の枕の平面図である。図２は枕の説明図で、（ａ）が図１のＡ−Ａ断面図、（ｂ）がストローチップの斜視図、（ｃ）がコルマビーズの斜視図、（ｄ）が枕の前側の縁に沿って配列されているラジウムボールおよびマイナスイオンボールの説明図である。なお、枕の前後方向は、寝ている人の身体が位置している側を前側としている。
【００２５】
枕１は、平面図示で略長方形をしているとともに、その前縁の中央部が横長に細長く丸く切り欠かれて切欠部２が形成され、この切欠部２の前縁部が首筋に当たるように構成されている。また、切欠部２の左右両サイドの前縁部は、直線状をしており、寝ている人の肩付近に位置する。枕１の上面は上面生地３で覆われ、下面は下面生地４で覆われている。この上面生地３と下面生地４との間に空間が形成されている。この空間は、上面生地３と下面生地４とを縫い合わせることで、３個の空間に区画されている。前後に区画されて前側空間６および後側空間７が形成され、また、枕１の中央部の空間８は略楕円形状をしている。前側空間６は、この中央部の空間８の前側半分の前側および左右両サイド側に配置されており、後側空間７は、中央部の空間８の後側半分の後側および左右両サイド側に配置されている。また、枕１の前縁部に沿って、枕１の内部に収納部１１が細長く延在している。
【００２６】
収納部１１には、図２（ｄ）に図示するように、マイナスイオンボール１３およびラジウムボール１４が交互に並べられて収納されている。マイナスイオンボール１３は、遠赤外線とともにマイナスイオンを発生するセラミックで形成されたボールである。また、ラジウムボール１４は、ラジウムを含有する樹脂製のボールである。このボール１３，１４は中実で、略真球の形状をしている。
【００２７】
また、前側空間６には、粒状物である図２（ｃ）に図示する活性炭入りコルマビーズ１６が多数収納されている。このコルマビーズ１６は活性炭を含有している樹脂製で、略球形をしているとともに、貫通孔１７が形成されている。
【００２８】
後側空間７には、粒状物である図２（ｂ）に図示するストローチップ２１が多数収納されている。このストローチップ２１は樹脂製の円筒形をしており、貫通孔２２が形成されている。なお、ストローチップ２１は活性炭を含有していない。
中央部の空間８には、何も収納されていない。
【００２９】
この様に構成されている枕１を使って寝る際には、枕１の中央部の空間８が形成されている部分に頭を載せる。すると、寝ている人の首筋が、前述のように、枕１の切欠部２の付近に位置するとともに、肩が切欠部２の両サイドの前縁部付近に位置する。この枕１の前縁部には、遠赤外線を放射するマイナスイオンボール１３および、放射線を放射するラジウムボール１４が配列されているので、コリやすい首筋や肩が温められ、血行が良くなる。また、枕１の前側空間６には、活性炭を含有するコルマビーズ１６が多数収納されているため、マイナスイオンボール１３やラジウムボール１４との相乗効果により、効率的に首筋や肩を温めることができる。枕１の後側空間７には、活性炭を含有していないストローチップ２１が収納されているため、人の頭の頂部を不必要に温めることはない。マイナスイオンボール１３やコルマビーズ１６からはマイナスイオンも放射されており、寝ている人を快適にさせることができる。
【００３０】
マイナスイオンボール１３、ラジウムボール１４、コルマビーズ１６およびストローチップ２１は粒状物であるため、流動性があり人の頭に適度にフィットするとともに、人の頭に密着することがないので、通気性が保たれ、頭が蒸れることを防止することができる。また、コルマビーズ１６やストローチップ２１には、貫通孔１７，２２が形成されており、枕１の通気性をさらに向上させることができる。
【００３１】
以上、本考案の実施例を詳述したが、本考案は、前記実施例に限定されるものではなく、実用新案登録請求の範囲に記載された本考案の要旨の範囲内で、種々の変更を行うことが可能である。本考案の変更例を下記に例示する。
（１）上面生地と下面生地との間の空間に収納される粒状物は、形状、構造や素材などを適宜変更することが可能であるが、その大きさは一番長い箇所で、５mm〜20mmが好ましい。
（２）枕の前側の縁に沿って配列されているラジウムを含有する物体および遠赤外線を発生する物体は、形状、構造や素材などを適宜変更することが可能であるが、その大きさは一番長い箇所で、５mm〜20mmが好ましい。
【００３２】
（３）マイナスイオンボール１３とラジウムボール１４とは、配列順序が変わらないように、その大きさが設定されており、収納部１１の断面の最大幅は、マイナスイオンボール１３の直径とラジウムボール１４の直径の合計よりも小さくなっている。
（４）マイナスイオンボール１３とラジウムボール１４とは交互に配列されているが、必ずしも、同じ種類のボールが１個置きに並ぶ必要はなく、同じ種類のボールが複数個（たとえば２個）並び、ついで、他の種類のボールが並ぶことも可能である。ただし、同じ種類のボールが連続して並ばないことが好ましい。
【００３３】
（５）中央部の空間を設けずに、上面生地と下面生地との間の空間を、前側の空間および後側の空間に区画することが可能である。
（６）中央部の空間には何も収納されていないが、クッション材や粒状物などを収納することも可能である。
【００３４】
（７）枕本体の材質、形状や構造は、請求の範囲で限定されていない限り、適宜変更可能である。
（８）枕に枕カバーなどを取り付けても良いことは当然である。
（９）ダブルベッド用に、枕をさらに横に長くしたり、また、切欠部２を左右に２個並べたりしても良いことは当然である。
【産業上の利用可能性】
【００３５】
血行の悪くなる肩や首筋などを集中的に温めることができるとともに、蒸れることが少ないため、肩や首筋などの血行を良くする枕に適用することが最適である。
【符号の説明】
【００３６】
１  枕
２  切欠部
３  上面生地
４  下面生地
６  前側空間
７  後側空間
８  中央部の空間
１１  収納部
１３  マイナスイオンボール（遠赤外線を発生する物体）
１４  ラジウムボール（ラジウムを含有する物体）
１６  コルマビーズ（活性炭を含有している粒状物）
１７  貫通孔
２１  ストローチップ（活性炭を含有していない粒状物）
２２  貫通孔
【図１】
0003149251.tif 000003
【図２】
0003149251.tif 000004